(57)【特許請求の範囲】
【請求項１】
ウェットティッシュ入り袋を収容するための直方体状の容器であって、この容器を構成する面のうちの少なくとも一面がファスナーにより開閉自在となって蓋体に形成されており、上記容器の内側に使い捨て懐炉を固定するためのメッシュシート材が容器の内面の一部を被覆した状態で設けられ、上記メッシュシート材に使い捨て懐炉を出し入れする開口部が形成されていることを特徴とする携帯用ウェットティッシュ保温容器。
【請求項２】
容器の壁面に吸熱するとともに蓄熱する保温部材を用いている請求項１記載の携帯用ウェットティッシュ保温容器。
【請求項３】
容器の外面に把持部を備えている請求項１または２記載の携帯用ウェットティッシュ保温容器。
【発明の詳細な説明】
【０００１】
【発明の属する技術分野】
本発明は、ウェットティッシュ入り袋を収容し保温する携帯用ウェットティッシュ保温容器に関するものである。
【０００２】
【従来の技術】
従来から、お手拭き用，乳幼児や病人のお尻拭き用等に使い捨てウェットティッシュが使用されている。そのウェットティッシュは、円筒状の容器や直方体状の袋等に入れられて市販されている。さらに、上記ウェットティッシュを簡単に携帯できるように、小型化した直方体状の袋にウェットティッシュを入れた携帯用ウェットティッシュも市販されている。
【０００３】
しかしながら、ウェットティッシュは冷たいため、それを気温が高い夏季等に使用するのは心地よいが、気温が低い冬季等に使用するのは不快である。
【０００４】
そこで、ウェットティッシュ入り袋を収容する容器内に電気ヒーターを備えたウェットティッシュの加熱装置が提案されている（特開平８−８９４３６号公報）。このものは、交流電源により上記電気ヒーターを温め、その熱でウェットティッシュを温めるものである。また、ウェットティッシュ入り袋を収容する容器に蓄熱体を備えたウェットティッシュ用容器も提案されている（特開平８−１８３５７２号公報）。このものは、電子レンジにより蓄熱体を温め、その熱でウェットティッシュを温めるものである。
【０００５】
【発明が解決しようとする課題】
しかしながら、上記従来技術の加熱装置およびウェットティッシュ用容器は、携帯には適さない。なぜならば、ウェットティッシュを温めるためには、交流電源や電子レンジが必要となるからである。すなわち、上記加熱装置では、交流電源を利用している間は、電源コードの長さに限度があるため、上記加熱装置を携帯して移動しながらウェットティッシュを温めることができない。また、上記ウェットティッシュ用容器では、ウェットティッシュを使い終えた後や購入する前等で、その中にウェットティッシュが収容されていない場合でも、蓄熱体を携帯しなければならない。
【０００６】
しかも、外出先等でウェットティッシュを購入する場合には、その外出先で交流電源や電子レンジを求めなければならない。特に、上記ウェットティッシュ用容器の場合には、外出先で電子レンジがないことに備え、予め蓄熱体を電子レンジで温めておいたとしても、ウェットティッシュを購入したときには、すでに蓄熱体が放熱され、購入したウェットティッシュを充分に温めることができないおそれがある。
【０００７】
本発明は、このような事情に鑑みなされたもので、携帯用として適している携帯用ウェットティッシュ保温容器の提供をその目的とする。
【０００８】
【課題を解決するための手段】
上記の目的を達成するため、本発明の携帯用ウェットティッシュ保温容器は、ウェットティッシュ入り袋を収容するための直方体状の容器であって、この容器を構成する面のうちの少なくとも一面がファスナーにより開閉自在となって蓋体に形成されており、上記容器の内側に使い捨て懐炉を固定するためのメッシュシート材が容器の内面の一部を被覆した状態で設けられ、上記メッシュシート材に使い捨て懐炉を出し入れする開口部が形成されているという構成をとる。
【０００９】
すなわち、本発明の携帯用ウェットティッシュ保温容器は、ウェットティッシュ入り袋を収容するための直方体状の容器であって、この容器を構成する面のうちの少なくとも一面がファスナーにより開閉自在となって蓋体に形成されており、上記容器の内側に使い捨て懐炉を固定するためのメッシュシート材を備えている。このため、ウェットティッシュを温めたり保温したりする場合には、ウェットティッシュ入り袋と使い捨て懐炉とを準備し、この使い捨て懐炉を発熱させて上記携帯用ウェットティッシュ保温容器の内側に固定するとともに、ウェットティッシュ入り袋を上記携帯用ウェットティッシュ保温容器内に収容し、上記蓋体をファスナーで閉めることにより、使い捨て懐炉の熱でウェットティッシュを温めたり保温したりすることができる。また、使い捨て懐炉は、その発熱に交流電源が不要であるため、上記携帯用ウェットティッシュ保温容器を携帯していれば、その中にウェットティッシュ入り袋を収容するとともに使い捨て懐炉を固定することにより、移動しながらウェットティッシュを温めたり保温したりすることができる。さらに、使い捨て懐炉は、その発熱に電子レンジが不要であり、その場で発熱させることができるため、予め発熱させておく必要がなく、ウェットティッシュを充分に温めたり保温したりすることができる。したがって、上記携帯用ウェットティッシュ保温容器を携帯していれば、必要なときにウェットティッシュを充分に温めたり保温したりすることができる。そして、温めたウェットティッシュを使い終えた場合には、使い捨て懐炉を捨てたり人体を温めるために使用したりする等、使い捨て懐炉本来の使用をすることができるため、上記携帯用ウェットティッシュ保温容器の携帯には、余分なものを携帯する必要がない。また、ウェットティッシュを購入する前で上記携帯用ウェットティッシュ保温容器内にウェットティッシュが収容されていない場合には、ウェットティッシュを購入するときに使い捨て懐炉を購入することができるため、上記携帯用ウェットティッシュ保温容器の携帯には、余分なものを携帯する必要がない。以上のことから、上記携帯用ウェットティッシュ保温容器は、携帯に適している。なお、本発明において、「使い捨て懐炉」とは、通気性を有する袋体の中に鉄粉等を入れたものであり、その鉄粉等を空気と触れさせることにより発熱させることができるものを意味する。
【００１０】
【発明の実施の形態】
つぎに、本発明の実施の形態を図面にもとづいて詳しく説明する。
【００１１】
図１〜図３は、本発明の携帯用ウェットティッシュ保温容器の一実施の形態を示している。この実施の形態では、携帯用ウェットティッシュ保温容器（以下、単に「保温容器」という）は、直方体状の容器であって、この容器を構成する上面がファスナー１により開閉自在となって蓋体２に形成されている。また、上記容器の上面の内面および底面の内面にはそれぞれ、使い捨て懐炉Ｃ（図４参照）を固定するためのメッシュシート材３が上記各内面を被覆した状態で設けられている。さらに、保温容器の背面の外面には、縁部が縁取りされた左右方向に長い把持部４が設けられている。
【００１２】
より詳しく説明すると、上記保温容器は、ファスナー１およびメッシュシート材３以外は、積層シート材５（図４参照）からなっている。この積層シート材５は、表地が綿製のキルティング６（図４参照）からなり、裏地が吸熱・蓄熱保温シート材（吸熱するとともに蓄熱する保温部材）７（図４参照）からなっている。また、上記保温容器は、３枚の積層シート材５からなり、そのうちの１枚は、保温容器の上面，背面および底面を構成し、他の１枚は、保温容器の正面および左右側面を構成し、さらに他の１枚は、上記把持部４を構成している。そして、各積層シート材５の周縁は、縁取りされている。
【００１３】
上記ファスナー１は、保温容器の左側面から正面を経て右側面に至る上記積層シート材５の上端縁と、それに対応する保温容器の上面との間に縫われて取り付けられている。
【００１４】
上記メッシュシート材３は、保温容器の上面の内面および底面の内面のそれぞれと略同形状に形成されており、それらメッシュシート材３の周縁部が上記各内面の周縁部に縫われることにより、上記各内面を被覆した状態で取り付けられている。そして、上記各内面を被覆している各メッシュシート材３の中央部には、左右方向に切断したような開口部８が形成されており、その長手方向に対峙する開口縁は、縁取りされている。
【００１５】
上記構成において、上記保温容器を用いてウェットティッシュＡ（図４参照）を温めたり保温したりする場合には、例えば図４に示すように、つぎのようにして行なう。すなわち、まず、１袋のウェットティッシュＡ入り袋Ｂと２個の使い捨て懐炉Ｃとを準備し、これら使い捨て懐炉Ｃを空気に触れさせて発熱させる。ついで、保温容器の蓋体２を開けたのち、上記使い捨て懐炉Ｃを各メッシュシート材３の開口部８から入れて各メッシュシート材３と上記各内面との間に挟持固定させる。そののち、ウェットティッシュＡ入り袋Ｂを保温容器内に収容し、上記蓋体２をファスナー１で閉める。このようにすることにより、使い捨て懐炉Ｃの熱でウェットティッシュＡを温めたり保温したりする。
【００１６】
上記実施の形態によれば、ウェットティッシュＡを温めたり保温したりするのに使い捨て懐炉Ｃを用いるため、上記保温容器を携帯していれば、その中にウェットティッシュＡ入り袋Ｂを収容するとともに使い捨て懐炉Ｃを固定することにより、移動しながらウェットティッシュＡを温めたり保温したりすることができる。したがって、上記保温容器は、携帯に適している。
【００１７】
また、使い捨て懐炉Ｃは、その場で発熱させることができるため、上記保温容器を携帯していれば、必要なときにウェットティッシュＡを充分に温めたり保温したりすることができる。したがって、上記保温容器は、携帯に適している。
【００１８】
そして、温めたウェットティッシュＡを使い終えた場合には、使い捨て懐炉Ｃを捨てたり人体を温めるために使用したりする等、使い捨て懐炉Ｃ本来の使用をすることができるため、上記保温容器の携帯には、従来技術のウェットティッシュ用容器における蓄熱体等の余分なものを携帯する必要がない。したがって、上記保温容器は、携帯に適している。
【００１９】
また、ウェットティッシュＡ入り袋Ｂを販売している薬局等の店には、通常、使い捨て懐炉Ｃも販売されているため、ウェットティッシュＡ入り袋Ｂを購入するときに使い捨て懐炉Ｃを購入することができる。したがって、ウェットティッシュＡ入り袋Ｂを購入する前で、上記保温容器内にウェットティッシュＡが収容されていない場合でも、上記保温容器の携帯には、予め温めておいた上記蓄熱体等の余分なものを携帯する必要がない。したがって、上記保温容器は、携帯に適している。
【００２０】
さらに、上記保温容器は、キルティング６等の柔軟性のあるものからなるため、ウェットティッシュＡを使い終えた後や購入する前等で、その中にウェットティッシュＡが収容されていない場合には、上記保温容器を小さく折り畳むことができる。したがって、上記保温容器は、携帯に適している。
【００２１】
しかも、保温容器の背面の外面には、左右方向に長い把持部４が設けられているため、手で把持部４を把持することにより、上記保温容器が携帯し易くなっている。したがって、上記保温容器は、携帯に適している。
【００２２】
そして、ウェットティッシュＡを温めたり保温したりしない場合でも、使い捨て懐炉Ｃを上記保温容器の内側に固定することなく、ウェットティッシュＡ入り袋Ｂを保温容器内に収容してその保温容器を携帯することができる。
【００２３】
なお、上記実施の形態において、ウェットティッシュＡとして携帯用のもの（ウェットティッシュＡ入り袋Ｂの大きさは、横の長さが約１０５ｍｍ、縦の長さが約７０ｍｍ、高さが約３５ｍｍ）を用い、使い捨て懐炉Ｃとして小さいサイズのもの（横の長さが約９０ｍｍ、縦の長さが約５５ｍｍ）を用いるようにすると、上記保温容器の大きさは、横の長さＬが約１１５ｍｍ、縦の長さＷが約８０ｍｍ、高さＨが約５０ｍｍにすることができ、携帯に適したものとなる。また、上記保温容器の大きさは、これに限定されるものではなく、ウェットティッシュＡ入り袋Ｂや使い捨て懐炉Ｃの大きさや数により、適宜なものとすることができる。
【００２４】
また、上記実施の形態では、使い捨て懐炉Ｃを上記保温容器の上面の内面および底面の内面の２箇所にそれぞれ固定するように、上記各内面にメッシュシート材３を設けたが、これに限定されるものではなく、正面の内面等の他の内側部分にメッシュシート材３を設けてもよいし、１箇所または３箇所以上にメッシュシート材３を設けてもよい。
【００２５】
また、上記実施の形態では、保温容器を構成する積層シート材５に綿製のキルティング６や吸熱・蓄熱保温シート材７を用いたが、これに限定されるものではなく、他の材料でもよい。
【００２６】
【発明の効果】
以上のように、本発明の携帯用ウェットティッシュ保温容器は、ウェットティッシュ入り袋を収容するための直方体状の容器であって、この容器を構成する面のうちの少なくとも一面がファスナーにより開閉自在となって蓋体に形成されており、上記容器の内側に使い捨て懐炉を固定するためのメッシュシート材を備えている。このため、ウェットティッシュを温めたり保温したりする場合には、ウェットティッシュ入り袋と使い捨て懐炉とを準備し、この使い捨て懐炉を発熱させて上記携帯用ウェットティッシュ保温容器の内側に固定するとともに、ウェットティッシュ入り袋を上記携帯用ウェットティッシュ保温容器内に収容し、上記蓋体をファスナーで閉めることにより、使い捨て懐炉の熱でウェットティッシュを温めたり保温したりすることができる。また、使い捨て懐炉は、その発熱に交流電源が不要であるため、上記携帯用ウェットティッシュ保温容器を携帯していれば、その中にウェットティッシュ入り袋を収容するとともに使い捨て懐炉を固定することにより、移動しながらウェットティッシュを温めたり保温したりすることができる。さらに、使い捨て懐炉は、その発熱に電子レンジが不要であり、その場で発熱させることができるため、予め発熱させておく必要がなく、ウェットティッシュを充分に温めたり保温したりすることができる。したがって、上記携帯用ウェットティッシュ保温容器を携帯していれば、必要なときにウェットティッシュを充分に温めたり保温したりすることができる。そして、温めたウェットティッシュを使い終えた場合には、使い捨て懐炉を捨てたり人体を温めるために使用したりする等、使い捨て懐炉本来の使用をすることができるため、上記携帯用ウェットティッシュ保温容器の携帯には、余分なものを携帯する必要がない。また、ウェットティッシュを購入する前で上記携帯用ウェットティッシュ保温容器内にウェットティッシュが収容されていない場合には、ウェットティッシュを購入するときに使い捨て懐炉を購入することができるため、上記携帯用ウェットティッシュ保温容器の携帯には、余分なものを携帯する必要がない。以上のことから、上記携帯用ウェットティッシュ保温容器は、携帯に適している。
【図面の簡単な説明】
【図１】本発明の携帯用ウェットティッシュ保温容器の一実施の形態を示す斜視図である。
【図２】上記携帯用ウェットティッシュ保温容器を示す斜視図である。
【図３】上記携帯用ウェットティッシュ保温容器を示す説明図である。
【図４】上記携帯用ウェットティッシュ保温容器の使用状況を示す説明図である。
【符号の説明】
１  ファスナー
２  蓋体
３  メッシュシート材
【図１】
0004473391.tif 000002
【図２】
0004473391.tif 000003
【図３】
0004473391.tif 000004
【図４】
0004473391.tif 000005